(57)【特許請求の範囲】
【請求項１】
鏡の上端部の背面に走行用のローラを、鏡の下端部の背面にガイド溝を設け、収納部の開口の上縁部のレールにローラを吊り下げ走行自在に支持し、開口の下縁部のガイド片にガイド溝を走行自在に係入した鏡扉の支持構造であって、鏡の上縁部に鏡の全幅にわたって外嵌する上サッシより背面側にローラを保持するローラ保持部を延出し、ローラ保持部の鏡の上縁部の長さ方向の両端部に接続部を形成し、鏡の幅方向の両端部の背面側に上下方向に配設されて鏡を補強する縦補強桟の上端部を接続部に接続して成ることを特徴とする鏡扉の支持構造。
【請求項２】
鏡の下縁部に鏡の全幅にわたって外嵌する下サッシより背面側にガイド溝を形成した溝形成部材を延出し、溝形成部材の鏡の下縁部の長さ方向の両端部に接続用部を形成し、縦補強桟の下端部を接続用部に接続して成ることを特徴とする請求項１記載の鏡扉の支持構造。
【請求項３】
上サッシ、下サッシ及び縦補強桟の端部に弾性キャップを設け、弾性キャップの周部に突出フランジを形成して成ることを特徴とする請求項１又は２記載の鏡扉の支持構造。
【請求項４】
鏡の幅方向の一側端部の縦補強桟に走行用の取っ手を形成し、鏡の幅方向の他側端部の上サッシ、下サッシ及び縦補強桟の端部に弾性キャップを設けて成ることを特徴とする請求項３記載の鏡扉の支持構造。
【発明の詳細な説明】
【０００１】
【発明の属する技術分野】
本発明は、鏡扉の支持構造に関し、詳しくは、走行用のローラを保持するローラ保持部及びガイド溝を形成した溝形成部材の鏡への取付け強度を高めて、結果的に鏡扉の走行を安定化させようとする技術に係るものである。
【０００２】
【従来の技術】
従来、鏡１の上端部の背面に走行用のローラ２を、鏡１の下端部の背面にガイド溝３を設け、収納部の開口の上縁部のレール６にローラ２を吊り下げ走行自在に載設し、開口５の下縁部のガイド片７にガイド溝３を走行自在に係入した鏡扉の支持構造においては、図１７及び図１８に示すように、ローラ２を鏡１の背面に付設した発泡スチロール製のような補強材１７ａにローラ支持具２６ａを介して取付け、補強材１７ａの下端面にガイド溝３を形成するものである。又、鏡１の上縁部には上サッシ８ａを外嵌し、鏡１の下端部には下サッシ１２ａを外嵌して鏡１の強度を高めている。
【０００３】
【発明が解決しようとする課題】
ところで、このような構成においては、上サッシ８ａ、下サッシ１２ａ及び鏡補強材１７ａを備えて部品点数が増しながら、ローラ２の保持強度及びガイド溝３ａの強度を高め難く、鏡扉の走行を安定化させ難いという問題があった。
【０００４】
本発明はこのような問題に鑑みてなされたものであり、走行用のローラを保持するローラ保持部及びガイド溝を形成した溝形成部材の鏡への取付け強度を高めて、結果的に鏡扉の走行を安定化させることができる鏡扉の支持構造を提供することを課題とするものである。
【０００５】
【課題を解決するための手段】
請求項１においては、鏡１の上端部の背面に走行用のローラ２を、鏡１の下端部の背面にガイド溝３を設け、収納部４の開口５の上縁部のレール６にローラ２を吊り下げ走行自在に支持し、開口５の下縁部のガイド片７にガイド溝３を走行自在に係入した鏡扉の支持構造であって、鏡１の上縁部に鏡１の全幅にわたって外嵌する上サッシ８より背面側にローラ２を保持するローラ保持部９を延出し、ローラ保持部９の鏡１の上縁部の長さ方向の両端部に接続部１１、１１を形成し、鏡１の幅方向の両端部の背面側に上下方向に配設されて鏡１を補強する縦補強桟１０、１０の上端部を接続部１１、１１に接続して成ることを特徴とするものである。このような構成によれば、上サッシ８とローラ保持部９を一体化させて部品点数を低減しながら、鏡１の上端部に外嵌させる上サッシ８によってローラ保持部９の強度を効果的に高めることができ、かつ、ローラ保持部９の接続部１１、１１に左右の縦補強桟１０、１０を接続して鏡１の補強強度を充分に高めることができ、結果として、鏡扉１８の走行を安定化させることができる。
【０００６】
請求項２においては、鏡１の下縁部に鏡１の全幅にわたって外嵌する下サッシ１２より背面側にガイド溝３を形成した溝形成部材１３を延出し、溝形成部材１３の鏡１の下縁部の長さ方向の両端部に接続用部１４、１４を形成し、縦補強桟１０、１０の下端部を接続用部１４、１４に接続していることを特徴とするものである。このような構成によれば、下サッシ１２と溝形成部材１３を一体化させて部品点数を低減しながら、鏡１の下端部に外嵌させる下サッシ１２によって溝形成部材１３の強度を高めることができ、かつ、溝形成部材１３の接続用部１４、１４に左右の縦補強桟１０、１０を接続して鏡１の補強強度を充分に高めることができ、結果として、鏡扉１８の走行を安定化させることができる。
【０００７】
請求項３においては、上サッシ８、下サッシ１２及び縦補強桟１０の端部に弾性キャップ１５を設け、弾性キャップ１５の周部に突出フランジ１６を形成していることを特徴とするものである。このような構成によれば、上サッシ８、下サッシ１２及び縦補強桟１０の端部の小口におけるエッジを隠すとともに上サッシ８、下サッシ１２及び縦補強桟１０の端部が収納部４の開口５の縁部に摺接して鏡扉１８の走行で擦りきずを生じさせることを回避することがき、使用者が傷を受けることもなく安全であり、更に、鏡扉１８への衝撃を低減することができる。
【０００８】
この場合、請求項４のように、鏡１の幅方向の一側端部の縦補強桟１０に走行用の取っ手１９を形成し、鏡１の幅方向の他側端部の上サッシ８、下サッシ１２及び縦補強桟１０の端部に弾性キャップ１５を設けることが好ましく、弾性キャップ１５は取っ手１９とは反対側の上下端部にあることから、請求項３の上記作用を、一層、高めるものである。
【０００９】
【発明の実施の形態】
以下、本発明の実施の形態を説明する。図１は一部破断した断面図である。図２は鏡扉の上部の拡大断面図である。図３は鏡扉の下部の拡大断面図である。図６は全体正面図である。図７は全体の概略横断面図である。
【００１０】
図６に示すように、鏡扉１８は、例えば、樹脂成形品製の収納部４の前面に収納部４の一部を常に残して走行するように組み込まれたものであり、鏡１の上端部に例えば２個のローラ２が取付けられ、鏡１の下端部にガイド溝３を形成した溝形成部材１３が取付けられ、収納部４の開口５の上縁部のレール６にローラ２を吊り下げ走行自在に支持し、開口５の下縁部で幅方向の略中央部に設けたガイド片７にガイド溝３を走行自在に係入している。このような鏡扉１８の支持構造において、ローラ２を保持するローラ保持部９及びガイド溝３を形成した溝形成部材１３の鏡１への取付け強度を高めて、結果的に鏡扉の走行を安定化させるようにしている。以下、詳述する。
【００１１】
図１乃至図５に示すように、鏡１の上下端部にパッキンや当板を介して断面コ字状となった上サッシ８及び下サッシ１２を外嵌させている。上サッシ８には鏡１側が開口する断面コ字状のローラ保持部９を一連に形成している。下サッシ１２には下方が開口する断面コ字状の溝形成部材１３を一連に形成している。上サッシ８及びローラ保持部９は一体となった押し出し成形品であり、下サッシ１２及び溝形成部材１３は一体となった押し出し成形品である。ローラ保持部９及び溝形成部材１３には接続部１１及び接続用部１４としてのタッピングホール２１…が形成されている。
【００１２】
鏡１に向かって例えば右側の端部には取っ手１９を前面にかつ全長にわたって形成した断面コ字状の縦補強桟１０をパッキンや当板を介して外嵌させている。鏡１に向かって左側の端部には断面コ字状の縦補強桟１０としての鏡枠補強桟２０を外嵌させている。しかして、取っ手１９を形成した縦補強桟１０及び鏡枠補強桟２０を上下サッシ８、１２に一連に形成しているローラ保持部９及び溝形成部材１３にタッピングビス２２にて接続している。
【００１３】
図１２はローラ２及びローラ受け２６を示している。図２に示すように、収納部４の開口５の内部の上縁部にはレール６をビス２３にて取付けている。レール６にはローラ２を転動自在に挿入している。ローラ２を回転自在に支持している支持台２５には図１２に示すように、円弧状の連結部２４を一連に形成している。一方、ローラ受け２６には円弧孔２７を形成している。ローラ受け２６はビス２８にてローラ保持部９に取付けている。
【００１４】
しかして、レール６に転動自在に挿入したローラ２から垂下している円弧状の連結部２４に対して、鏡扉１８側に取付けているローラ受け２６の円弧孔２７を結合することで、レール６に鏡扉１８を走行自在に吊り下げ保持するようにしている。
【００１５】
図３に示すように、収納部４の開口５の内部の下縁部でかつ収納部４の幅方向の中央部にはガイド片７を立設している。しかして、鏡扉１８側の溝形成部材１３のガイド溝３にガイド片７を係入することで、鏡扉１８の下部の走行をガイドするようにしている。
【００１６】
このように、鏡１の上縁部に外嵌する上サッシ８よりローラ２を保持するローラ保持部９を延出するとともにローラ保持部９に接続部１１としてのタッピングホール２１を形成し、タッピングホール２１において鏡１を補強する縦補強桟１０及び鏡枠補強桟２０を接続することから、上サッシ８とローラ保持部９を一体化させて部品点数を低減しながら、鏡１の上端部に外嵌させる上サッシ８によってローラ保持部９の強度を効果的に高めることができ、かつ、ローラ保持部９の接続部１１に左右の縦補強桟１０及び鏡枠補強桟２０を接続して鏡１の補強強度を充分に高めることができ、結果として、鏡扉１８の走行を安定化させることができるものである。
【００１７】
更に、鏡１の下縁部に外嵌する下サッシ１２よりガイド溝３を形成した溝形成部材１３を延出し、溝形成部材１３に接続用部１４としてのタッピングホール２１を形成し、タッピングホール２１に鏡１を補強する縦補強桟１０及び鏡枠補強桟２０を接続していることから、鏡１の下端部に外嵌させる下サッシ１２によって溝形成部材１３の強度を高め、鏡１の補強強度を充分に高め、鏡扉１８の走行を安定化させるのである。
【００１８】
図１４乃至図１６は弾性キャップ１５を示している。図１４の弾性キャップ１５は、取っ手１９を形成した縦補強桟１０の下端部に装着する取っ手用下部弾性キャップ１５ａであり、楕円状の突起２９を取っ手形成凹所３０に圧入し、他の突片３１を鏡１と縦補強桟１０との間に圧入するものである（図１３参照）。図１５の弾性キャップ１５は、下部弾性キャップ１５ｂであり、Ｌ字状の突起３２を下サッシ１２の取っ手１９とは反対側の端部において鏡１との間に差し込むものである。図１６の弾性キャップ１５は、上部弾性キャップ１５ｃであり、Ｌ字状の突起３３を上サッシ８の取っ手１９とは反対側の端部において鏡１との間に差し込むものである。このような弾性キャップ１５ａ、１５ｂ、１５ｃの周部には突出フランジ１６が形成されている。ところで、弾性キャップ１５ａ、１５ｂ、１５ｃの取付けは、上下サッシ８、１２の他に縦補強桟１０や鏡枠補強桟２０等に付設するようにしてもよいものである。
【００１９】
このように、上サッシ８及び下サッシ１２のような鏡補強材１７の端部に弾性キャップ１５を設け、弾性キャップ１５に鏡補強材１７より外方に突出する突出フランジ１６を形成していることから、鏡補強材１７の端部の小口におけるエッジを隠すとともに鏡補強材１７の端部が収納部４の開口５の縁部に摺接して鏡扉１８の走行で擦りきずを生じさせることを回避することがき、使用者が傷を受けることもなく安全であり、更に、鏡扉１８への衝撃を低減することができるものである。
【００２０】
この場合、鏡１の一側端部に走行用の取っ手１９を形成し、他端部の上下端に弾性キャップ１５ａ、１５ｂを設けていることから、取っ手１９を持って鏡扉１８を走行させる場合に、他端側の上下の弾性キャップ１５ａ、１５ｂによって効果的に振れ止めを図ることができるものである。
【００２１】
【発明の効果】
請求項１においては、鏡の上端部の背面に走行用のローラを、鏡の下端部の背面にガイド溝を設け、収納部の開口の上縁部のレールにローラを吊り下げ走行自在に支持し、開口の下縁部のガイド片にガイド溝を走行自在に係入した鏡扉の支持構造であって、鏡の上縁部に鏡の全幅にわたって外嵌する上サッシより背面側にローラを保持するローラ保持部を延出し、ローラ保持部の鏡の上縁部の長さ方向の両端部に接続部を形成し、鏡の幅方向の両端部の背面側に上下方向に配設されて鏡を補強する縦補強桟の上端部を接続部に接続しているから、上サッシとローラ保持部を一体化させて部品点数を低減しながら、鏡の上端部に外嵌させる上サッシによってローラ保持部の強度を効果的に高めることができ、かつ、ローラ保持部の接続部に左右の縦補強桟を接続して鏡の補強強度を充分に高めることができ、結果として、鏡扉の走行を安定化させることができるという利点がある。
【００２２】
請求項２においては、請求項１の構成に加えて、鏡の下縁部に鏡の全幅にわたって外嵌する下サッシより背面側にガイド溝を形成した溝形成部材を延出し、溝形成部材の鏡の下縁部の長さ方向の両端部に接続用部を形成し、縦補強桟の下端部を接続用部に接続しているから、請求項１の効果に加えて、下サッシと溝形成部材を一体化させて部品点数を低減しながら、鏡の下端部に外嵌させる下サッシによって溝形成部材の強度を高めることができ、かつ、溝形成部材の接続用部に左右の縦補強桟を接続して鏡の補強強度を充分に高めることができ、結果として、鏡扉の走行を安定化させることができるという利点がある。
【００２３】
請求項３においては、請求項１又は２の構成に加えて、上サッシ、下サッシ及び縦補強桟の端部に弾性キャップを設け、弾性キャップの周部に突出フランジを形成しているから、請求項１又は２の効果に加えて、上サッシ、下サッシ及び縦補強桟の端部の小口におけるエッジを隠すとともに上サッシ、下サッシ及び縦補強桟の端部が収納部の開口の縁部に摺接して鏡扉の走行で擦りきずを生じさせることを回避することがき、使用者が傷を受けることもなく安全であり、更に、鏡扉への衝撃を低減することができるという利点がある。
【００２４】
請求項４においては、請求項３の構成に加えて、鏡の幅方向の一側端部の縦補強桟に走行用の取っ手を形成し、鏡の幅方向の他側端部の上サッシ、下サッシ及び縦補強桟の端部に弾性キャップを設けているから、請求項３の効果に加えて、弾性キャップは取っ手とは反対側の上下端部にあることから、請求項３の効果を、一層、高めるという利点がある。
【図面の簡単な説明】
【図１】本発明の実施の一形態を示す一部破断した断面図である。
【図２】同上の鏡扉の上部の拡大断面図である。
【図３】同上の鏡扉の下部の拡大断面図である。
【図４】同上の一部破断した側面図である。
【図５】同上の上部の断面図である。
【図６】同上の全体正面図である。
【図７】同上の概略横断面図である。
【図８】同上の収納部の背面図である。
【図９】同上の側面図である。
【図１０】（ａ）は同上の鏡扉の背面図、（ｂ）は側面図である。
【図１１】同上の鏡扉の正面図である。
【図１２】（ａ）は同上のローラの正面図、（ｂ）は側面図、（ｃ）はローラ受けの側面図、（ｄ）はローラ受けの正面図である。
【図１３】同上の一部破断した概略横断面図である。
【図１４】同上の取っ手側に付設する弾性キャップを示し、（ａ）は平面図、（ｂ）は側面図である。
【図１５】同上の取っ手側とは反対側の下端部に付設する下の弾性キャップを示し、（ａ）は背面図、（ｂ）は側面図、（ｃ）は正面図である。
【図１６】同上の取っ手側の上端部に付設する上の弾性キャップを示し、（ａ）は底面図、（ｂ）は側面図、（ｃ）は正面図である。
【図１７】従来例を示し、（ａ）は上部の側断面図、（ｂ）は下部の側断面図である。
【図１８】従来例の鏡扉の背面図である。
【符号の説明】
１    鏡
２    ローラ
３    ガイド溝
４    収納部
５    開口
６    レール
７    ガイド片
８    上サッシ
９    ローラ保持部
１０  縦補強桟
１１  接続部
１７  鏡補強材
【図１】
0003620413.tif 000002
【図２】
0003620413.tif 000003
【図３】
0003620413.tif 000004
【図４】
0003620413.tif 000005
【図５】
0003620413.tif 000006
【図６】
0003620413.tif 000007
【図７】
0003620413.tif 000008
【図８】
0003620413.tif 000009
【図９】
0003620413.tif 000010
【図１０】
0003620413.tif 000011
【図１１】
0003620413.tif 000012
【図１２】
0003620413.tif 000013
【図１３】
0003620413.tif 000014
【図１４】
0003620413.tif 000015
【図１５】
0003620413.tif 000016
【図１６】
0003620413.tif 000017
【図１７】
0003620413.tif 000018
【図１８】
0003620413.tif 000019